(57)【要約】【課題】  この発明は、低廉で多量使用し得ると共に、管理、価格共に使用に適する交流用ＬＥＤ点灯ユニットを用いて、広告などに使用できるサイン表示装置を得ることを目的としたものである。【解決手段】  この発明は、プリント基板に電源端子と、整流器と、コンデンサーと、単数又は複数の発光ダイオードとを接続して交流用発光ダイオード点灯回路セットとし、これを合成樹脂ケースに収容し、合成樹脂絶縁材を充填したことを特徴とするサイン表示装置用の交流用ＬＥＤ点灯ユニットにより、目的を達成した。【選択図】              図１
2008107370.tif 000002
【特許請求の範囲】
【請求項１】
プリント基板に点灯回路をプリントして、この回路に電源端子、整流器、コンデンサー抵抗器及び単数又は複数の発光ダイオードとを接続して交流用発光ダイオード点灯回路セットとし、これを合成樹脂ケースに収容し、隙間に絶縁材を充填したことを特徴とする表示装置用の交流用ＬＥＤ点灯ユニット。
【請求項２】
細長いプリント基板の表裏両面に、回路をプリントすると共に、一面の回路に発光ダイオードを接続し、他面の回路に抵抗器、コンデンサー及び整流器を夫々接続して、交流用発光ダイオード点灯回路セットとし、この点灯回路セットを合成樹脂ケースに収容して、絶縁材を充填したことを特徴とする表示装置用の交流用ＬＥＤ点灯ユニット。
【請求項３】
プリント基板の電源端子、整流器、コンデンサー抵抗器及び単数又は複数の発光ダイオードを接続して交流用発光ダイオード点灯回路セットとして、これを合成樹脂ケースに収容し、隙間に絶縁材を充填した交流用発光ダイオード点灯ユニットの多数個を直列状に配置し、電圧を降下させることなく、電源に対し並列接続したことを特徴とする交流用発光ダイオード点灯回路を用いた表示装置。
【請求項４】
プリント基板の電源端子、整流器、コンデンサー抵抗器及び単数又は複数の発光ダイオードを接続して交流用発光ダイオード点灯回路セットした交流用発光ダイオード点灯ユニットの多数個を、電圧を降下させることなく、直列状、並列状又は直列状及び並列状に配置し、接続したことを特徴とする交流用ＬＥＤ点灯回路を用いた表示装置。
【発明の詳細な説明】
【技術分野】
【０００１】
この発明は、発光ダイオード（以下、「ＬＥＤ」とする）点灯回路を用い、交流用電源で高効率点灯し、広告、看板等の表示照明に用いることを目的としたもので、使用部材に発熱を伴わないので、高輝度点灯させ、電気的絶縁耐圧、耐振性及び防水性を備えた表示装置用交流用ＬＥＤ点灯ユニット及びこれを用いた表示装置に関する。
【背景技術】
【０００２】
従来ＬＥＤを用いた看板照明器は、点灯駆動用に直流電源が必要で、その管理、価格、保証の面で、ＬＥＤを利用した照明器の普及に多くの障害となっていた。また、従来使用されていた構造は、電気的絶縁耐圧及び防水度が低かった。
【０００３】
また交流電源と、整流器と、電流調整回路と、抵抗器と、ＬＥＤとを直列に接続し、前記抵抗器に印加される電圧を、前記電流調整回路の制御信号として帰還させることによって、前記ＬＥＤに流れる電流を一定とするようにしたサイン表示装置の交流用ＬＥＤ点灯回路が提案されている。
【特許文献１】特開２００４−９３６５７
【発明の開示】
【発明が解決しようとする課題】
【０００４】
前記従来の技術において、ＬＥＤを用いた看板照明器は、低廉で多量使用を要件とするので、その管理、価格、保証の面で、色々と問題点があり、かつ従来の電気的絶縁耐圧及び防水度が低くてもよい使用方法が一般的であった為に、前記要件を満足させねばならない看板などの照明の光源としては色々と問題点があった。
【課題を解決するための手段】
【０００５】
この発明は、プリント基板の電源端子、整流器、コンデンサー抵抗器及び単数又は複数のＬＥＤを接続して、交流用ＬＥＤ点灯回路セットとすることにより、発光ダイオードの特性を生かし、価格、発熱量、輝度等の諸課題の解決を図り、簡易に表示装置用の交流用ＬＥＤ点灯ユニットを得て、前記従来の問題点を解決したのである。
【０００６】
また前記点灯ユニットを多数直列に配置で接続することにより、回路部材に発熱を生じることなく、ＬＥＤの輝度確保に必要な電流値を得て、発熱及び輝度の課題を解決し、かつ電気的絶縁耐力度を高めることに成功したのである。
【０００７】
即ちこの発明は、プリント基板に点灯回路をプリントして、この回路に電源端子、整流器、コンデンサー抵抗器及び単数又は複数の発光ダイオードとを接続して交流用発光ダイオード点灯回路セットとし、これを合成樹脂ケースに収容し、隙間に絶縁材を充填したことを特徴とする表示装置用の交流用ＬＥＤ点灯ユニットであり、細長いプリント基板の表裏両面に、回路をプリントすると共に、一面の回路に発光ダイオードを接続し、他面の回路に抵抗器、コンデンサー及び整流器を夫々接続して、交流用発光ダイオード点灯回路セットとし、この点灯回路セットを合成樹脂ケースに収容して、絶縁材を充填したことを特徴とする表示装置用の交流用ＬＥＤ点灯ユニットである。
【０００８】
また他の発明は、プリント基板の電源端子、整流器、コンデンサー抵抗器及び単数又は複数の発光ダイオードを接続して交流用発光ダイオード点灯回路セットとして、これを合成樹脂ケースに収容し、隙間に絶縁材を充填した交流用発光ダイオード点灯ユニットの多数個を直列状に配置し、電圧を降下させることなく、電源に対し並列接続したことを特徴とする交流用発光ダイオード点灯回路を用いた表示装置であり、プリント基板の電源端子、整流器、コンデンサー抵抗器及び単数又は複数の発光ダイオードを接続して交流用発光ダイオード点灯回路セットした交流用発光ダイオード点灯ユニットの多数個を、電圧を降下させることなく、直列状、並列状又は直列状及び並列状に配置し、接続したことを特徴とする交流用ＬＥＤ点灯回路を用いた表示装置である。
【０００９】
前記発明によれば、絶縁耐力の大きいプリント基板のＬＥＤ点灯回路をセットし、これを合成樹脂ケースに収容し、間隙に絶縁材を充填したので、高い絶縁耐力を得ることができると共に、耐絶縁性があり、全回路の接続その他の取り扱いが容易になり、作業性が良好である。
【００１０】
前記は、交流用ＬＥＤ点灯回路セットを合成樹脂ケースに収容したが、接続物を絶縁被覆するなど、他の絶縁耐力増強手段をとることもできる。
【００１１】
前記発明によれば、発光回路をユニット化することにより、広告器などの照明を合理化し、故障を減少させ、修理、取換えを容易にするなど、実用上著しく改善したものである。
【発明の効果】
【００１２】
この発明によれば、各点灯ユニットは、電源に対して並列接続であるから、多数のＬＥＤ発光回路を接続しても電圧低下のおそれがなく、実用上必要数のＬＥＤを全部接続できる効果がある。
【００１３】
また夫々の点灯回路をプリント基板へセットし、ユニット化したので、大型広告器などに使用する場合でも、前記プリント基板の数を増加させれば対応できると共に、同一特性の点灯回路を必要数だけ接続できる効果がある。
【００１４】
次にこの種点灯回路の発熱の主な要因は、コンデンサーの内部抵抗による熱損失であるが、この発明の場合には、前記抵抗値が極めて低いので、点灯駆動に際し発熱を伴わず、熱膨張の影響がなく、電気絶縁耐圧度を高めると共に、消費電力を大幅に節減できるなどの諸効果がある。
【００１５】
更にＬＥＤの発光輝度はコンデンサーの容量に依存し、使用材料に発熱を伴わず光量調整が可能であるなどの効果もある。
【発明を実施するための最良の形態】
【００１６】
この発明は、両面に点灯回路をプリントしたプリント基板の表面に、電源の入力及び出力端子、必要数のＬＥＤ、整流器、コンデンサー及び抵抗器をセットし、これを合成樹脂ケースに収容し、間隙にシリコン樹脂などの絶縁材を充填して表示用の交流用ＬＥＤ点灯ユニットを構成する。次に、広告器などの表示装置の適所（照明必要箇所）へ、前記交流用ＬＥＤ点灯ユニットを配置して電源と接続すれば、この発明の表示装置ができる。即ち点灯ユニットの設置接続が容易である。
【実施例１】
【００１７】
この発明の実施例を図１、２、３について説明すると、両面に回路２をプリントしたプリント基板１の表面側四隅と中央部に合計５個のＬＥＤ３ａ、３ｂ、３ｃ、３ｄ、３ｅ（単独は３とする）をセットし、電源入力端子４、４と、電源出力端子５、５に連結線６、６ａの一端を夫々接続すると共に、プリント回路に接続すべくコンデンサーＣ、抵抗Ｒ１、Ｒ２、全波整流器Ｄ１、Ｄ２をセットし、前記プリント基板１を、合成樹脂ケース７に収容すれば、この発明の交流用ＬＥＤ点灯ユニット１０ができる。
【００１８】
前記実施例のプリントした回路は、図１に示すように、入力線に対して、抵抗Ｒ１と、コンデンサーＣとを直列に接続し、抵抗Ｒ２と全波整流器Ｄ１、Ｄ２及びＬＥＤ３を並列に接続してある（この場合にＬＥＤの個数は単数、複数を問わない）。
【００１９】
この発明におけるＬＥＤ点灯ユニット１０は、前記構造としてあるので、振動その他の外力に強く、合成樹脂ケース７によって絶縁性は大きく、必要に応じ透明カバー８を用いることができる。図中２２はシリコン樹脂である。
【００２０】
前記実施例のプリント基板１は、例えば３０ｍｍ×３０ｍｍの平面で正方形とし、前記合成樹脂ケース７に収容するので、全体が正方形の板となる。従って、ＬＥＤ３をセットしても、高さ１２ｍｍ程度となるので、狭い広告器の内部であっても容易にセットすることができる。
【００２１】
また図３に示すように、発光回路が電源に対して並列に接続されているので、多数の点灯ユニットを直列に配置して接続しても（理論上きわめて多数の接続可能）、電圧低下その他照明に支障を来すおそれはない。
【実施例２】
【００２２】
この発明の実施例を図３について説明すると、プリント基板１、１を直列に配置して夫々連結線６、６で接続することにより、この発明の表示装置１５ができる。図中９はＬＥＤ挿入孔、１３、１４は抵抗設置位置、１６はコンデンサー設置位置、１７は整流器設置位置を示す。
【００２３】
前記において、各端子に１本の連結線６を接続すれば、図３（ｂ）中左図のように直列配置の照明装置１１となり、１端子について２本以上の連結線６、６ａを接続すれば、図３（ｂ）中右側のように並列した照明装置１２とすることができる。
【００２４】
前記ＬＥＤ点灯ユニットは、電源に対し、並列接続してあるので、電圧が部分的に低下するおそれはない。
【実施例３】
【００２５】
この発明の実施例を図４に基づいて説明すると、細長いプリント基板１８の表裏両面へ、回路２４をプリントすると共に、表面側へＬＥＤ３、３を直列に接続し、裏面側へ、抵抗器２５、接続器１９、コンデンサー２０、整流器２１を順次接続し、安定設置することができる。図中２２は、シリコン樹脂であって、前記器機と、ケース２３とを固定してある。
【００２６】
この実施例のプリント基板は細長いので、一面に各器機を設置することは困難であるが、両面に設置すれば、十分の余裕があるので、確実に設置することができる。
【００２７】
この点はプリント回路上も、器機の設置面積上も都合がよく、かつ比較的狭い場所の照明も容易である。寸法は色々あるが、例えば幅６ｍｍ、長さ６０ｍｍ、厚さ２．６ｍｍというような寸法でも十分の余裕を持ってＬＥＤ及びその点灯回路をセットすることができる。
【図面の簡単な説明】
【００２８】
【図１】この発明の発光回路図。
【図２】（ａ）同じく点灯ユニットの平面図、（ｂ）同じく一部を省略した正面図。
【図３】（ａ）同じく器具を除去したプリント基板の平面図、（ｂ）同じく点灯ユニットの接続例を示す説明図。
【図４】（ａ）同じく他の実施例の平面図、（ｂ）同じく裏面図、（ｃ）同じくプリント基板をケースに収容した拡大斜視図。
【符号の説明】
【００２９】
１  プリント基板
２  点灯回路
３  ＬＥＤ
４  電源入力端子
５  電源出力端子
６  連結線
７  合成樹脂ケース
１０  交流用ＬＥＤ点灯ユニット
【図１】
2008107370.tif 000003
【図２】
2008107370.tif 000004
【図３】
2008107370.tif 000005
【図４】
2008107370.tif 000006